(57)【要約】【課題】遊技球が複数個連続して通過する場合に、正確に通過した遊技球の数を検出することが可能で、＋５℃以下及び＋３０℃以上の環境下でも正常に動作し、組立・検査の製造コストや部品コストが安価で、リードスイッチの製造のメーカーに於いてリードスイッチの量産性・歩留まり良い、量産性に適した入賞センサを提供すること。【解決手段】入賞センサ用リードスイッチの感動値、感動値と開放値の差（応差）に応じて、磁石の最適磁束密度を近似式より算出し、磁化調整することを特徴とする。【選択図】  図１
2005013405.tif 000002
【特許請求の範囲】
【請求項１】
遊技球の検出孔を囲む少なくとも１個の駆動用磁石と、リードスイッチと電子回路からなる、遊技球の通過を検出するリードスイッチ方式の入賞センサにおいて、前記駆動用磁石は、飽和着磁した磁石の磁化を減磁調整した磁石であることを特徴とする入賞センサ。
【請求項２】
前記駆動用磁石は、リードスイッチの感動値と、該感動値と開放値の差に応じて、予め実験により求めた近似式より算出した最適磁束密度に磁化調整した磁石であることを特徴とする請求項１に記載の入賞センサ。
【請求項３】
前記最適磁束密度を算出する近似式は、感動値と開放値の差から求めた自然数をパラメータとして、リードスイッチの感動値の二次式であることを特徴とする入賞センサ。
【発明の詳細な説明】
【０００１】
【発明の属する技術分野】
本発明は、パチンコ台の遊技球入賞口に装備して、入賞した遊技球（パチンコ玉ともいう）の通過を検出する入賞センサに関する。
【０００２】
【従来の技術】
従来、この種のリードスイッチ方式の入賞センサは、リードスイッチと駆動用磁石を組み合わせた構成で、遊技球が単球の場合だけで無く、複数個連続して通過する場合にも正確に通過した遊技球の数を検出することが必要である。このため、入賞センサの感度値の規格が非常に狭く、その結果、駆動用磁石の磁力と組み合わせるリードスイッチの特性の感動値と開放値を測定選別により絞り込み、最適化する必要がある。
【０００３】
しかし、一般的なリードスイッチの量産製造工程の感動値のばらつきは、５アンペアターン程度有り、入賞センサに用いる駆動用磁石の特定磁力に対するリードスイッチの最適化感動値幅は、１アンペアターン程度と狭くなり、リードスイッチの感動値を測定選別しても歩留まりが悪く、リードスイッチの製造が困難になり、その結果、入賞センサの製造も困難になるという問題があった。
【０００４】
本発明に関する先行技術が下記特許文献１に開示されている。図４は、特許文献１に記載の入賞センサのモデル図である。図４（以下、図４に示す入賞センサを従来例１と呼ぶ）に示すように、ケース体１３の一端に遊技球の通過を検出するための検出孔１５を設け、この検出孔１５の壁部にリードスイッチ１７を配置し、リードスイッチ１７側から見て、検出孔１５を挟んで両側の壁内に、長手方向に同磁力に着磁したそれぞれ長さが異なる２本の磁石１９ａ、１９ｂを、リードスイッチ１７に対して異磁極で同磁力の磁界が到達するように配置し、且つ、検出孔１５を挟んでリードスイッチ１７と対向する位置に、前記２本の磁石１９ａ、１９ｂの両端間に密着させたヨーク（金属板）２１を配置することにより、擬閉磁路の磁気回路を形成した構造の入賞センサである。
【０００５】
従来例１では、通常リードスイッチ１７の接点片は吸引し合って接点２９ａを閉じ、リードスイッチ１７の両端に接続された電子回路２３の出力側負荷回路の出力レベルがＨレベルとなっている。検出孔内を遊技球が通過すると、遊技球に依ってリードスイッチに到達している磁界が遮られ、リードスイッチ１７の接点２９ａが開くことにより、負荷回路の出力レベルがＬレベルとなって遊技球の通過を検出する構造となっている。
【０００６】
【特許文献１】
特許第３２６８３９１号公報
【０００７】
【発明が解決しようとする課題】
ところで、特許文献１に示される従来例１の入賞センサでは、長手方向に同磁力に着磁したそれぞれ長さが異なる２本の磁石１９ａ、１９ｂをリードスイッチ１７に対して異磁極で同磁力の磁界を与えた場合、磁石とリードスイッチの特性（感動値、開放値）の適合する範囲が著しく狭く、常温時では正常に動作しているリードスイッチが、＋５℃以下及び＋３０℃以上の環境下では、使用しているパーマロイやロジウムめっきなどのリードスイッチを構成する磁性材料の伸縮によって感動値が変化して動作不能となるという問題点がある。
【０００８】
また、表１に示すように、遊技球が複数個連続して通過する場合に、正確に通過した遊技球の数を検出するために、駆動用磁石の表面磁束密度と組み合わせるリードスイッチ特性（感動値、開放値）を絞り込み、最適化しなければならず、入賞センサの組立・検査の製造コストや部品コストが高くなるという問題点がある。
【０００９】
【表１】
2005013405.tif 000003
【００１０】
更に、リードスイッチの感動値幅が１アンペアターン程度に限定されるため、リードスイッチの製造メーカーに於いて、リードスイッチの量産性・歩留まりが悪く、入賞センサメーカーへの安定供給が困難となるという問題点がある。
【００１１】
そこで、本発明の目的は、遊技球が複数個連続して通過する場合に、正確に通過した遊技球の数を検出することが可能で、＋５℃以下及び＋３０℃以上の環境下でも正常に動作し、組立・検査の製造コストや部品コストが安価で、リードスイッチの製造のメーカーにおいてリードスイッチの量産性・歩留まりが良い、量産性に適した入賞センサを提供することにある。
【００１２】
【課題を解決するための手段】
本発明によれば、遊技球の検出孔を囲む少なくとも１個の駆動用磁石と、リードスイッチと電子回路からなる、遊技球の通過を検出するリードスイッチ方式の入賞センサにおいて、前記駆動用磁石は、飽和着磁した磁石の磁化を減磁調整した磁石であることを特徴とする入賞センサが得られる。
【００１３】
また、本発明によれば、前記駆動用磁石は、リードスイッチの感動値と、該感動値と開放値の差（以下、応差という）から求めた自然数に応じて、予め実験により求めた近似式より演算算出した最適磁束密度に磁化調整した磁石であることを特徴とする入賞センサが得られる。
【００１４】
また、本発明によれば、前記最適磁束密度をｆｎ（Ｘ）、リードスイッチの感動値を（Ｘ）とすると、最適磁束密度をｆｎ（Ｘ）を算出する近似式は、応差から求めた自然数をパラメータとして、リードスイッチの感動値（Ｘ）の二次式で、次式（１）であることを特徴とする入賞センサが得られる。
【００１５】
ｆｎ（Ｘ）＝ａＸ２＋ｂＸ＋ｃ  ・・・・・・（１）
ａ、ｂ、ｃは定数
【００１６】
【発明の実施の形態】
以下、本発明の実施の形態について図面を参照して詳細に説明する。
【００１７】
図１は、本発明の実施の形態で、図１（ａ）は、応差の計算から、最適磁束密度の算出と磁石の減磁工程を示したフローチャートであり、図１（ｂ）は、リードスイッチの感動値に対する磁石の最適磁束密度の値を、応差から求めた自然数をパラメータとして近似式で計算した結果である。
【００１８】
また、図２は、本発明の実施の形態のフローチャートである。磁石を飽和着磁後、リードスイッチのＯＮチェック（球無し）、ＯＦＦチェック（球有り）を行い、磁石の減磁、ＯＦＦチェックを繰り返し、磁石の最適磁束密度になるように、磁石の磁化状態を逐次減磁するフローチャートである。
【００１９】
図３は、本発明の入賞センサと磁石の減磁、着磁用の電磁石を示した図である。図３を参照して、本実施の形態の入賞センサ１１を説明する。ケース体の一端に遊技球の通過を検出するための検出孔１５を設け、この検出孔１５の壁部にリードスイッチ１７を配置し、検出孔１５を挟んでリードスイッチ１７と対向する位置に長手方向に着磁した磁石１９を配置し、リードスイッチ１７側から見て、検出孔１５を挟んで両側の壁内に、磁石１９の両端間に密着させたヨーク（金属板）２１ａ、２１ｂを配置することにより、擬閉磁路の磁気回路を形成した構造の入賞センサである。
【００２０】
リードスイッチ１７の感動値、応差に応じて、前記近似式より、磁石１９の最適磁束密度を算出し、磁化器３１にて、磁石１９を飽和着磁後、最適磁束密度まで磁石の磁化状態を自動減磁するものである。
【００２１】
従って、本実施の形態の入賞センサは、リードスイッチの応差に応じて、磁石の磁力を一対一で磁化調整するため、リードスイッチの使用可能な感度範囲は１５〜３０アンペアターンと広く、かつ遊技球が複数個連なり通過する場合にも正確に通過した遊技球の数を検出することが出来る。
【００２２】
また、磁石を減磁して使用するため、入賞センサの安定動作域が広がり、外部磁場や環境の温度に対しても安定である。更に、入賞センサの磁石の磁化率が個々の入賞センサにおいて微妙に異なるので、複数の入賞センサの磁化率を測定することや、又は飽和するまで着磁して前後の磁化を測定することで、減磁調整工程の有無は容易に判定できる。
【００２３】
【発明の効果】
以上、詳細に説明したように、本発明では、入賞センサ用リードスイッチの応差に応じて磁石の磁力を一対一で磁化調整するため、磁石の磁力に合わせた、リードスイッチの感度区分の組み合わせや、組立て精度が不要となり、使えるリードスイッチの感動値特性の幅が増えるばかりでなく、安定動作域が広がり、外部磁場や環境の温度に対しても安定で、組立・検査製造コストが安く、安定した量産性を確保できる入賞センサを提供できるという効果がある。
【図面の簡単な説明】
【図１】本発明の実施の形態で、図１（ａ）は、応差の計算から、最適磁束密度の算出と磁石の減磁工程を示したフローチャートであり、図１（ｂ）は、リードスイッチの感動値に対する磁石の最適磁束密度の値を、応差をパラメータとして近似式で計算した結果。
【図２】本発明の実施の形態のフローチャート。
【図３】本発明の入賞センサと磁石の減磁、着磁用の電磁石を示した図。
【図４】従来の入賞センサの構造を示す図。
【符号の説明】
１１    入賞センサ
１３    ケース体
１５    検出孔
１７    入賞センサ用リードスイッチ
１９，１９ａ，１９ｂ    磁石
２１，２１ａ，２１ｂ    ヨーク（金属板）
２３    電子回路
３１    磁化器
【図１】
2005013405.tif 000004
【図２】
2005013405.tif 000005
【図３】
2005013405.tif 000006
【図４】
2005013405.tif 000007